(57)【要約】      （修正有）【課題】化粧シ−トを内壁面に確実に施工せしめ、また、モールディングにより絵柄を立体的に装飾せしめつつ、施工を容易に、しかも確実に効率よく行なうことが出来る、化粧シ−ト付きパネル、及びそのモ−ルディングを提供する。【解決手段】化粧シート付きパネル１は、略方形板状パネル本体２の表面に壁紙など壁装用の化粧シ−ト３が貼設されている。また、モールディング４ａは、長尺板状のモ−ルディング本体５ａと、長尺板状の取付け部材６ａとよりなり、上記モールディング本体５ａの両側には両側一対のパネル掛止用掛止段部８が、同裏面側には所要幅の略あり溝状係止溝１０が各々長手方向に沿って形成され、他方、取付け部材６ａの表面側には上記係止溝１０に嵌合係止せしめる略ありほぞ状の係止部１２が形成され、同裏面側には壁面に接着せしめる接着部材１３が取付けられている。【選択図】図４
0003152317.tif 000002
【実用新案登録請求の範囲】
【請求項１】
所要の幅と厚みを備えた略方形板状パネル本体の表面に壁紙など壁装用の化粧シ−トが
貼設されてなることを特徴とする、化粧シ−ト付きパネル。
【請求項２】
請求項１記載の化粧シ−ト付きパネルを壁面に装飾状に取付けるモ−ルディングであっ
て、該モ−ルディングは所要の幅と厚みを備えた長尺板状のモ−ルディング本体と、該モ
ールディング本体を壁面に取付ける長尺板状の取付け部材とよりなり、上記モ−ルディン
グ本体の両側にはパネルを掛止保持せしめるべくその長手方向に沿って両側一対の掛止段
部が形成されると共に、同裏面側にはその長手方向に沿って所要幅の略あり溝状係止溝が
形成され、他方、取付け部材の表面側には上記係止溝に嵌合係止せしめるべくその長手方
向に沿って略ありほぞ状の係止部が形成されると共に、同裏面側には壁面に接着せしめる
べく接着部材が取付けられてなることを特徴とする、化粧シ−ト付きパネル用モ−ルディ
ング。 
【請求項３】
係止溝は嵌合係止せしめる係止部との間に電線挿通路を区画形成せしめるべく所要の深
さに形成されてなることを特徴とする、請求項２記載の化粧シ−ト付きパネル用モ−ルデ
ィング。
【請求項４】
請求項２及び３記載の化粧シ−ト付きパネル用モ−ルディングに補助的に付設自在とさ
れた化粧シ−ト付きパネル用モ−ルディングであって、該モ−ルディングは上記モ−ルデ
ィング本体のパネル用掛止段部に掛止状に付設せしめるべく所要の幅と厚みを備えた長尺
板状のモ−ルディング本体と、壁面に接着せしめるべく該モ−ルディング本体の裏面に取
付けられた接着部材とよりなることを特徴とする、化粧シ−ト付きパネル用モ−ルディン
グ。
【請求項５】
モ−ルディング本体両側には壁装用化粧シ−トを裏面と同一レベルに掛止保持せしめる
べく化粧シ−ト用掛上段部が各々形成されてなることを特徴とする、請求項２〜４記載の
化粧シ−ト付きパネル用モ−ルディング。         
【考案の詳細な説明】
【技術分野】
【０００１】
本考案は、建物の内装面に貼着して使用する化粧シ−ト付きパネル、及びそのモ−ルデ
ィングに関する。
【背景技術】
【０００２】
従来より、建物の内壁面を保護し、保温、断熱、装飾せしめるものとして多数の壁紙な
ど壁装用の化粧シ−トが知られており、その一例として、裏打紙に不織布や織物などが接
着剤層を介して接着された織物壁紙（特開平８−１８９２号公報参照）、２枚以上の和紙
が接着剤層を介して積層されてなる多層構造の紙壁紙（特開２０００−９６４９２号公報
参照）、あるいはアクリル系樹脂やエチレン−酢酸ビニル樹脂を含むエマルジョンよりな
る装飾層が形成されてなる装飾シ−ト（特開平６−４７８７５号公報参照）などを挙げる
ことが出来る。
そして、かかる従来の化粧シ−トは、接着剤などでもって建物の内壁面に貼着せしめる
ものとされている。
【０００３】
また、上記化粧シ−トの絵柄などを立体的、かつ、装飾的に仕上げるため適宜化粧シ−
トの貼着施工後に別途所要形状のモ−ルディングを後付け施工するものとされている。
【先行技術文献】
【特許文献】
【０００４】
【特許文献１】特開平８−１８９２号公報
【特許文献２】特開２０００−９６４９２号公報
【特許文献３】特開平６−４７８７５号公報
【考案の概要】
【考案が解決しようとする課題】
【０００５】
ところで、従来の化粧シ−トは本来的にシ−ト性状を呈するものであるから、内壁面へ
の貼着作業時に空気を巻込みやすく、また、貼着時の位置合せや修正時に化粧シ−トを裏
面の離型紙より剥離せしめるさいに生じる応力によってシワが発生しやすく、場合によっ
ては貼着施工後に化粧シ−トの剥がれや浮きを生起せしめるおそれがあるものである。こ
のため、化粧シ−トの貼着施工作業が非常に面倒で手間がかかり、極めて作業能率の悪い
ものとなっている。  
【０００６】
また、モ−ルディングは、化粧シ−トの貼着施工後に別途後付け施工するものとされて
いるから、全体として化粧シ−トの施工作業が煩雑となり、極めて施工効率の悪いものと
なっている。                                        
【０００７】
本考案は、従来の問題点を解決し、空気の巻込みやシワを生起せしめることなく化粧シ
−トを内壁面に確実に施工せしめることが出来るのみならず、モ−ルディングにより絵柄
を立体的に装飾せしめつつ施工を容易に、しかも確実に効率よく行なうことが出来る、化
粧シ−ト付きパネル、及びそのモ−ルディングを提供しようとするものである。
【課題を解決するための手段】
【０００８】
上記の目的を達成するため、本考案の請求項１記載の考案は、所要の幅と厚みを備えた
略方形板状パネル本体の表面に壁紙など壁装用の化粧シ−トが貼設されてなることを特徴
とする、化粧シ−ト付きパネルを要旨とするものである。                
【０００９】
請求項２記載の考案は、請求項１記載の化粧シ−ト付きパネルを壁面に装飾状に取付け
るモ−ルディングであって、該モ−ルディングは所要の幅と厚みを備えた長尺板状のモ−
ルディング本体と、該モールディング本体を壁面に取付ける長尺板状の取付け部材とより
なり、上記モ−ルディング本体の両側にはパネルを掛止保持せしめるべくその長手方向に
沿って両側一対の掛止段部が形成されると共に、同裏面側にはその長手方向に沿って所要
幅の略あり溝状係止溝が形成され、他方、取付け部材の表面側には上記係止溝に嵌合係止
せしめるべくその長手方向に沿って略ありほぞ状の係止部が形成されると共に、同裏面側
には壁面に接着せしめるべく接着部材が取付けられてなることを特徴とする、化粧シ−ト
付きパネル用モ−ルディングを要旨とするものである。              
【００１０】
請求項３記載の考案は、係止溝は嵌合係止せしめる係止部との間に電線挿通路を区画形
成せしめるべく所要の深さに形成されてなることを特徴とする、請求項２記載の化粧シ−
ト付きパネル用モ−ルディングを要旨とするものである。      
【００１１】
請求項４記載の考案は、請求項２及び３記載の化粧シ−ト付きパネル用モ−ルディング
に補助的に付設自在とされた化粧シ−ト付きパネル用モ−ルディングであって、該モ−ル
ディングは上記モ−ルディング本体のパネル用掛止段部に掛止状に付設せしめるべく所要
の幅と厚みを備えた長尺板状のモ−ルディング本体と、壁面に接着せしめるべく該モ−ル
ディング本体の裏面に取付けられた接着部材とよりなることを特徴とする、化粧シ−ト付
きパネル用モ−ルディングを要旨とするものである。                              
【００１２】
請求項５記載の考案は、モ−ルディング本体両側には壁装用化粧シ−トを裏面と同一レ
ベルに掛止保持せしめるべく化粧シ−ト用掛上段部が各々形成されてなることを特徴とす
る、請求項２〜４記載の化粧シ−ト付きパネル用モ−ルディングを要旨とするものである
。                              
【考案の効果】
【００１３】
本考案の請求項１記載の考案は、上述のように構成されているから、化粧シ−トを直接
内壁面に貼着施工せしめる従来例に比して、空気の巻込みやシワを生起せしめることなく
化粧シ−トを内壁面に確実に施工せしめることが出来るのみならず、請求項２〜５記載の
モ−ルディングに掛止保持せしめて絵柄を立体的に装飾せしめつつ施工を容易に、しかも
、非常に効率よく行なうことが出来るものである。   
【００１４】
請求項２記載の考案は、上述のように構成されているから、モ−ルディングを後付け施
工せしめる従来例に比して、両側のパネル用掛止段部に各々請求項１記載の化粧シ−ト付
きパネルを掛止保持せしめつつ、係止溝に係止部を嵌合係止せしめ、接着部材でもって所
要の内壁面に一体的に取付け施工せしめることが出来るものであって、ひいては、常に化
粧シ−トの絵柄を立体的に装飾せしめつつ取付け施工を容易に、しかも、確実に効率よく
行なうことが出来るものである。
【００１５】
請求項３記載の考案は、上述のように構成されているから、化粧シート付きパネルの取
付け時に電線挿通路を区画形成せしめることが出来るものであって、ひいては、かかる電
線挿通路に所要の電線を挿通して配線せしめ、モ−ルディングに適宜コンセントやスイッ
チなど所要の配電器具を取付けることが出来るものである。
【００１６】
請求項４記載の考案は、上述のように構成されているから、請求項２及び３記載のモ−
ルディングに掛止段部を介して掛止保持せしめつつ内壁面に接着部材でもって接着せしめ
、モ−ルディング機能を有効に補助せしめることが出来るものである。
【００１７】
請求項５記載の考案は、上述のように構成されているから、化粧シ−ト付きパネルのみ
ならず、必要に応じて両側の化粧シ−ト用掛止段部に化粧シ−トを裏面と同一レベルに掛
止保持せしめつつ、接着部材でもって所要の内壁面に一体的に取付け施工せしめることが
出来るものである。
【図面の簡単な説明】
【００１８】
【図１】本考案の一実施例を示す化粧シ−ト付きパネル１の一部拡大斜視図である。
【図２】本考案の一実施例を示すモ−ルディング４ａの一部拡大斜視図である。
【図３】実施例のモ−ルディング４ａにより化粧シ−ト付きパネル１を内壁面１４に取付け施工せしめた状態を示す一部拡大正面図である。
【図４】図３のＡ−Ａ線に沿う断面図である。
【図５】本考案の他の実施例を示すモ−ルディング４ｂの一部拡大斜視図である。
【図６】実施例のモ−ルディング４ｂにより化粧シ−ト付きパネル１を内壁面１４に取付け施工せしめた状態を示す一部拡大正面図である。
【図７】図６のＢ−Ｂ線に沿う断面図である。
【図８】本考案の他の実施例を示すモ−ルディング４ｃの一部拡大斜視図である。
【図９】実施例のモ−ルディング４ｃをモ−ルディング４ａに掛止せしめて内壁面１４に取付け施工せしめた状態を示す一部拡大正面図である。
【図１０】図９のＣ−Ｃ線に沿う断面図である。
【図１１】実施例のモ−ルディング４ａにより化粧シ−ト１７を内壁面１４に取付け施工せしめた状態を示す断面図である。
【図１２】実施例のモ−ルディング４ｂにより化粧シ−ト１７を内壁面１４に取付け施工せしめた状態を示す断面図である。
【図１３】実施例のモ−ルディング４ｃにより化粧シ−ト１７を内壁面に取付け施工せしめた状態を示す断面図である。
【考案を実施するための形態】
【００１９】
以下に、本考案を実施するための形態を図面に示す一実施例に基づいて詳細に説明する
。
【００２０】
図１〜図４は本考案の一実施例を示すもので、同図中、１は化粧シ−ト付きパネルで、
該パネル１は所要の幅と厚みを備えた略方形板状パネル本体２の表面に化粧シ−ト３を貼
設せしめることにより形成されている。そして、上記化粧シ−ト３としては、ビニ−ル系
壁紙、織物系壁紙、オレフィン系壁紙、紙系壁紙、あるいは珪藻土など無機系壁紙などの
壁紙や、これらに類した壁装シ−トなど壁装用の化粧シ−トを挙げることができ、これら
の表面には各々所要の絵柄が配されている。
【００２１】
４ａは上記化粧シ−ト付きパネル１を後記する建物などの内壁面１４に装飾状に取付け
るモ−ルディングで、該モ−ルディング４ａは所要の幅と厚みを備えた長尺板状のモ−ル
ディング本体５ａと、該モ−ルディング本体５ａを後記する内壁面１４に取付ける取付け
部材６ａとより構成されている。７ａは上記モ−ルディング本体５ａの長手方向に沿って
その表面と両側面に各々凹条形成された装飾部、８は前記化粧シ−ト付きパネル１の端部
を裏面と同一レベルに掛止保持せしめるべくモ−ルディング本体５ａの長手方向に沿って
その両側に各々形成された両側一対のパネル用掛止段部、９は壁装用化粧シ−ト自体を単
独で裏面と同一レベルに掛止保持せしめるべくパネル用掛止段部８に連接してモ−ルディ
ング本体５ａの両側に形成された化粧シ−ト用掛止段部、１０はモ−ルディング本体５ａ
の裏面にその長手方向に沿って形成された略あり溝状係止溝で、該係止溝１０は嵌合係止
せしめる後記係止部１２との間に電線挿通路１１を区画形成せしめるべく所要の幅と深さ
を有するものとされている。１２は上記係止溝１０に嵌合係止せしめるべく取付け部材６
ａの長手方向に沿ってその表面に形成された略ありほぞ状の係止部、１３は後記する建物
などの内壁面１４に接着せしめるべく取付け部材６ａの裏面に取付けられた両面接着テ−
プである。その他、１４は建物などの内壁面、１５は電線挿通路１１内に配線自在とされ
た電線を示す。
【００２２】
そして、上述の如く構成された化粧シ−ト付きパネル１は、モ−ルディング４ａにより
化粧シ−ト３の絵柄を立体的に装飾せしめつつ内壁面１４に取付ける。
即ち、パネル１の両側端部にパネル用掛止段部８を介してモ−ルディング本体５ａを裏
面と同一レベルに掛止せしめると共に、係止溝１０に係止部１２を嵌合係止せしめて電線
挿通路１１を区画形成せしめつつ、順次取付け部材６ａを両面接着テ−プ１３でもって内
壁面１４に接着せしめ、パネル１を内壁面１４に取付ける（図３及び図４参照）。このさ
い、化粧シ−ト３はパネル本体２に貼設するものとされているから、空気の巻込みやシワ
を発生せしめることなく内壁面１４に確実に施工せしめることが出来るのみならず、モ−
ルディング４ａに掛止段部８を介してパネル１を掛止保持せしめると共に、係止溝１０に
係止部１２を嵌合係止せしめつつ両面接着テ−プ１３でもって内壁面１４に接着せしめる
ものであるから、常に化粧シ−ト３の絵柄を立体的に装飾せしめつつ取付け施工を容易に
、しかも、確実に効率よく行なうことが出来るものである。
【００２３】
そして、化粧シ−ト付きパネル１の取付け施工が完了すると、必要に応じてモ−ルディ
ング４ａの電線挿通路１１に電線１５を挿通せしめ、コンセントやスイッチなどの配線器
具を取付けるとよい。
【００２４】
図５〜図７は他の実施例を示すモ−ルディング４ｂで、モ−ルディング本体５ｂ及び取付け部材６ｂが広幅な長尺板状に形成されると共に、モ−ルディング本体５ｂの裏面両側に両面接着テ−プ１６が取付けられ、かつ、モ−ルディング本体５ｂの表面に弯曲状の装飾部７ｂが形成された点が上記実施例のモ−ルディング４ａと相違し、他の部分は同一であり、同一符号は同一部分を示す。
【００２５】
そして、上述のように構成されたモ−ルディング４ｂは、上記実施例と同様に、パネル
１の両側端部にパネル用掛止段部８を介してモ−ルディング本体５ｂを裏面と同一レベル
に掛止保持せしめると共に、係止溝１０に係止部１２を嵌合係止せしめて電線挿通路１１
を区画形成せしめつつ、順次取付け部材６ｂと共にモ−ルディング本体５ｂを両面接着テ−プ１３・１６でもって内壁面１４に接着せしめ、パネル１を内壁面１４に取付ける（図６及び図７参照）。このさい、上記実施例と同様に、化粧シ−ト３は空気の巻込みやシワを発生せしめることなく確実に、しかも、容易に効率よく施工せしめることが出来るものである。
【００２６】
図８〜図１０は上記実施例のモ−ルディング４ａ・４ｂに補助的に付設して使用するモ
−ルディング４ｃを示すもので、該モ−ルディング４ｃは上記モ−ルディング４ａ・４ｂ
のパネル用掛止段部８に掛止せしめるべく所要の幅と厚みを有する長尺板状のモ−ルディ
ング本体５ｃと、該モ−ルディング本体５ｃの長手方向に沿ってその表面に半球凸条に形
成された装飾部７ｃと、両側の裏面側に形成された両側一対の化粧シ−ト用掛止段部１８
と、モ−ルディング本体５ｃの裏面に取付けられた両面接着テ−プ１９とより構成されて
いる。
【００２７】
そして、上述の如く構成されたモ−ルディング４ｃは、モ−ルディング本体５ｃをモ−
ルディング４ａ・４ｂの掛止段部８に掛止保持せしめつつ両面接着テ−プ１９を介して内
壁面１４に接着せしめ、モ−ルディング４ａ・４ｂのモ−ルディング機能を有効に補助せ
しめるものである（図１０参照）。
【００２８】
なお、上記モ−ルディング４ａ・４ｂ・４ｃは化粧シ−ト付きパネル１のみならず、図
１１〜図１３に示すように、必要に応じて各々化粧シ−ト用掛止段部９・１８に公知の化
粧シ−ト１７を裏面と同一レベルに掛止保持せしめつつ、両面接着テ−プ１３・１６・１
９を介して内壁面１４に接着せしめて取付け、化粧シ−ト１７の絵柄を立体的に装飾せし
めることができ、また、必要に応じて部屋の回り縁、腰まわり、巾木、あるいはテ−ブル
の見切り材にも適用せしめることが出来るものである。
【００２９】
さらに、上記実施例において、モ−ルディング４ａ・４ｂのモ−ルディング本体５ａ・
５ｂ表面には凹条の装飾部７ａ・７ｂが、モ−ルディング４ｃのモ−ルディング本体５ｃ
表面には半球凸条の装飾部７ｃが各々形成されているが、かかる形状に限定されることな
く他の公知の形状に形成せしめてもよいものである。また、上記取付け部材６ａ・６ｂと
モ−ルディング本体５ａ・５ｃの裏面には両面接着テ−プ１３・１６・１９が取付けられ
ているが、これに限定されるものでなく、他の公知の接着部材を使用することが出来るも
のである。
【符号の説明】
【００３０】
１    パネル
２    パネル本体
３    化粧シ−ト
４ａ・４ｂ・４ｃ    モ−ルディング
５ａ・５ｂ・５ｃ    モ−ルディング本体
６ａ・６ｂ    取付け部材
８    パネル用掛止段部
９・１８    化粧シ−ト用掛止段部
１０    係止溝
１１    電線挿通路
１２    係止部
１３・１９    両面接着テ−プ
１４  内壁面
１７  化粧シ−ト
【図１】
0003152317.tif 000003
【図２】
0003152317.tif 000004
【図３】
0003152317.tif 000005
【図４】
0003152317.tif 000006
【図５】
0003152317.tif 000007
【図６】
0003152317.tif 000008
【図７】
0003152317.tif 000009
【図８】
0003152317.tif 000010
【図９】
0003152317.tif 000011
【図１０】
0003152317.tif 000012
【図１１】
0003152317.tif 000013
【図１２】
0003152317.tif 000014
【図１３】
0003152317.tif 000015
【手続補正書】
【提出日】平成21年5月23日(2009.5.23)
【手続補正１】
【補正対象書類名】明細書
【補正対象項目名】全文
【補正方法】変更
【補正の内容】
【考案の詳細な説明】
【技術分野】
【０００１】
本考案は、建物の内装面に貼着して使用する化粧シ−ト付きパネル、及びそのモ−ルデ
ィングに関する。
【背景技術】
【０００２】
従来より、建物の内壁面を保護し、保温、断熱、装飾せしめるものとして多数の壁紙な
ど壁装用の化粧シ−トが知られており、その一例として、裏打紙に不織布や織物などが接
着剤層を介して接着された織物壁紙（特開平８−１８９２号公報参照）、２枚以上の和紙
が接着剤層を介して積層されてなる多層構造の紙壁紙（特開２０００−９６４９２号公報
参照）、あるいはアクリル系樹脂やエチレン−酢酸ビニル樹脂を含むエマルジョンよりな
る装飾層が形成されてなる装飾シ−ト（特開平６−４７８７５号公報参照）などを挙げる
ことが出来る。
そして、かかる従来の化粧シ−トは、接着剤などでもって建物の内壁面に貼着せしめる
ものとされている。
【０００３】
また、上記化粧シ−トの絵柄などを立体的、かつ、装飾的に仕上げるため適宜化粧シ−
トの貼着施工後に別途所要形状のモ−ルディングを後付け施工するものとされている。
【先行技術文献】
【特許文献】
【０００４】
【特許文献１】特開平８−１８９２号公報
【特許文献２】特開２０００−９６４９２号公報
【特許文献３】特開平６−４７８７５号公報
【考案の概要】
【考案が解決しようとする課題】
【０００５】
ところで、従来の化粧シ−トは本来的にシ−ト性状を呈するものであるから、内壁面へ
の貼着作業時に空気を巻込みやすく、また、貼着時の位置合せや修正時に化粧シ−トを裏
面の離型紙より剥離せしめるさいに生じる応力によってシワが発生しやすく、場合によっ
ては貼着施工後に化粧シ−トの剥がれや浮きを生起せしめるおそれがあるものである。こ
のため、化粧シ−トの貼着施工作業が非常に面倒で手間がかかり、極めて作業能率の悪い
ものとなっている。  
【０００６】
また、モ−ルディングは、化粧シ−トの貼着施工後に別途後付け施工するものとされて
いるから、全体として化粧シ−トの施工作業が煩雑となり、極めて施工効率の悪いものと
なっている。                                        
【０００７】
本考案は、従来の問題点を解決し、空気の巻込みやシワを生起せしめることなく化粧シ
−トを内壁面に確実に施工せしめることが出来るのみならず、モ−ルディングにより絵柄
を立体的に装飾せしめつつ施工を容易に、しかも確実に効率よく行なうことが出来る、化
粧シ−ト付きパネル、及びそのモ−ルディングを提供しようとするものである。
【課題を解決するための手段】
【０００８】
上記の目的を達成するため、本考案の請求項１記載の考案は、所要の幅と厚みを備えた
略方形板状パネル本体の表面に壁紙など壁装用の化粧シ−トが貼設されてなることを特徴
とする、化粧シ−ト付きパネルを要旨とするものである。                
【０００９】
請求項２記載の考案は、請求項１記載の化粧シ−ト付きパネルを壁面に装飾状に取付け
るモ−ルディングであって、該モ−ルディングは所要の幅と厚みを備えた長尺板状のモ−
ルディング本体と、該モールディング本体を壁面に取付ける長尺板状の取付け部材とより
なり、上記モ−ルディング本体の両側にはパネルを掛止保持せしめるべくその長手方向に
沿って両側一対の掛止段部が形成されると共に、同裏面側にはその長手方向に沿って所要
幅の略あり溝状係止溝が形成され、他方、取付け部材の表面側には上記係止溝に嵌合係止
せしめるべくその長手方向に沿って略ありほぞ状の係止部が形成されると共に、同裏面側
には壁面に接着せしめるべく接着部材が取付けられてなることを特徴とする、化粧シ−ト
付きパネル用モ−ルディングを要旨とするものである。              
【００１０】
請求項３記載の考案は、係止溝は嵌合係止せしめる係止部との間に電線挿通路を区画形
成せしめるべく所要の深さに形成されてなることを特徴とする、請求項２記載の化粧シ−
ト付きパネル用モ−ルディングを要旨とするものである。      
【００１１】
請求項４記載の考案は、請求項２または３記載の化粧シ−ト付きパネル用モ−ルディン
グに補助的に付設自在とされた化粧シ−ト付きパネル用モ−ルディングであって、該モ−
ルディングは上記モ−ルディング本体のパネル用掛止段部に掛止状に付設せしめるべく所
要の幅と厚みを備えた長尺板状のモ−ルディング本体と、壁面に接着せしめるべく該モ−
ルディング本体の裏面に取付けられた接着部材とよりなることを特徴とする、化粧シ−ト
付きパネル用モ−ルディングを要旨とするものである。                              
【００１２】
請求項５記載の考案は、モ−ルディング本体両側には壁装用化粧シ−トを裏面と同一レ
ベルに掛止保持せしめるべく化粧シ−ト用掛上段部が各々形成されてなることを特徴とす
る、請求項２〜４のいづれか１項に記載の化粧シ−ト付きパネル用モ−ルディングを要旨
とするものである。                              
【考案の効果】
【００１３】
本考案の請求項１記載の考案は、上述のように構成されているから、化粧シ−トを直接
内壁面に貼着施工せしめる従来例に比して、空気の巻込みやシワを生起せしめることなく
化粧シ−トを内壁面に確実に施工せしめることが出来るのみならず、請求項２〜５記載の
モ−ルディングに掛止保持せしめて絵柄を立体的に装飾せしめつつ施工を容易に、しかも
、非常に効率よく行なうことが出来るものである。   
【００１４】
請求項２記載の考案は、上述のように構成されているから、モ−ルディングを後付け施
工せしめる従来例に比して、両側のパネル用掛止段部に各々請求項１記載の化粧シ−ト付
きパネルを掛止保持せしめつつ、係止溝に係止部を嵌合係止せしめ、接着部材でもって所
要の内壁面に一体的に取付け施工せしめることが出来るものであって、ひいては、常に化
粧シ−トの絵柄を立体的に装飾せしめつつ取付け施工を容易に、しかも、確実に効率よく
行なうことが出来るものである。
【００１５】
請求項３記載の考案は、上述のように構成されているから、化粧シート付きパネルの取
付け時に電線挿通路を区画形成せしめることが出来るものであって、ひいては、かかる電
線挿通路に所要の電線を挿通して配線せしめ、モ−ルディングに適宜コンセントやスイッ
チなど所要の配電器具を取付けることが出来るものである。
【００１６】
請求項４記載の考案は、上述のように構成されているから、請求項２または３記載のモ
−ルディングに掛止段部を介して掛止保持せしめつつ内壁面に接着部材でもって接着せし
め、モ−ルディング機能を有効に補助せしめることが出来るものである。
【００１７】
請求項５記載の考案は、上述のように構成されているから、化粧シ−ト付きパネルのみ
ならず、必要に応じて両側の化粧シ−ト用掛止段部に化粧シ−トを裏面と同一レベルに掛
止保持せしめつつ、接着部材でもって所要の内壁面に一体的に取付け施工せしめることが
出来るものである。
【図面の簡単な説明】
【００１８】
【図１】本考案の一実施例を示す化粧シ−ト付きパネル１の一部拡大斜視図である。
【図２】本考案の一実施例を示すモ−ルディング４ａの一部拡大斜視図である。
【図３】実施例のモ−ルディング４ａにより化粧シ−ト付きパネル１を内壁面１４に取付け施工せしめた状態を示す一部拡大正面図である。
【図４】図３のＡ−Ａ線に沿う断面図である。
【図５】本考案の他の実施例を示すモ−ルディング４ｂの一部拡大斜視図である。
【図６】実施例のモ−ルディング４ｂにより化粧シ−ト付きパネル１を内壁面１４に取付け施工せしめた状態を示す一部拡大正面図である。
【図７】図６のＢ−Ｂ線に沿う断面図である。
【図８】本考案の他の実施例を示すモ−ルディング４ｃの一部拡大斜視図である。
【図９】実施例のモ−ルディング４ｃをモ−ルディング４ａに掛止せしめて内壁面１４に取付け施工せしめた状態を示す一部拡大正面図である。
【図１０】図９のＣ−Ｃ線に沿う断面図である。
【図１１】実施例のモ−ルディング４ａにより化粧シ−ト１７を内壁面１４に取付け施工せしめた状態を示す断面図である。
【図１２】実施例のモ−ルディング４ｂにより化粧シ−ト１７を内壁面１４に取付け施工せしめた状態を示す断面図である。
【図１３】実施例のモ−ルディング４ｃにより化粧シ−ト１７を内壁面に取付け施工せしめた状態を示す断面図である。
【考案を実施するための形態】
【００１９】
以下に、本考案を実施するための形態を図面に示す一実施例に基づいて詳細に説明する
。
【００２０】
図１〜図４は本考案の一実施例を示すもので、同図中、１は化粧シ−ト付きパネルで、
該パネル１は所要の幅と厚みを備えた略方形板状パネル本体２の表面に化粧シ−ト３を貼
設せしめることにより形成されている。そして、上記化粧シ−ト３としては、ビニ−ル系
壁紙、織物系壁紙、オレフィン系壁紙、紙系壁紙、あるいは珪藻土など無機系壁紙などの
壁紙や、これらに類した壁装シ−トなど壁装用の化粧シ−トを挙げることができ、これら
の表面には各々所要の絵柄が配されている。
【００２１】
４ａは上記化粧シ−ト付きパネル１を後記する建物などの内壁面１４に装飾状に取付け
るモ−ルディングで、該モ−ルディング４ａは所要の幅と厚みを備えた長尺板状のモ−ル
ディング本体５ａと、該モ−ルディング本体５ａを後記する内壁面１４に取付ける取付け
部材６ａとより構成されている。７ａは上記モ−ルディング本体５ａの長手方向に沿って
その表面と両側面に各々凹条形成された装飾部、８は前記化粧シ−ト付きパネル１の端部
を裏面と同一レベルに掛止保持せしめるべくモ−ルディング本体５ａの長手方向に沿って
その両側に各々形成された両側一対のパネル用掛止段部、９は壁装用化粧シ−ト自体を単
独で裏面と同一レベルに掛止保持せしめるべくパネル用掛止段部８に連接してモ−ルディ
ング本体５ａの両側に形成された化粧シ−ト用掛止段部、１０はモ−ルディング本体５ａ
の裏面にその長手方向に沿って形成された略あり溝状係止溝で、該係止溝１０は嵌合係止
せしめる後記係止部１２との間に電線挿通路１１を区画形成せしめるべく所要の幅と深さ
を有するものとされている。１２は上記係止溝１０に嵌合係止せしめるべく取付け部材６
ａの長手方向に沿ってその表面に形成された略ありほぞ状の係止部、１３は後記する建物
などの内壁面１４に接着せしめるべく取付け部材６ａの裏面に取付けられた両面接着テ−
プである。その他、１４は建物などの内壁面、１５は電線挿通路１１内に配線自在とされ
た電線を示す。
【００２２】
そして、上述の如く構成された化粧シ−ト付きパネル１は、モ−ルディング４ａにより
化粧シ−ト３の絵柄を立体的に装飾せしめつつ内壁面１４に取付ける。
即ち、パネル１の両側端部にパネル用掛止段部８を介してモ−ルディング本体５ａを裏
面と同一レベルに掛止せしめると共に、係止溝１０に係止部１２を嵌合係止せしめて電線
挿通路１１を区画形成せしめつつ、順次取付け部材６ａを両面接着テ−プ１３でもって内
壁面１４に接着せしめ、パネル１を内壁面１４に取付ける（図３及び図４参照）。このさ
い、化粧シ−ト３はパネル本体２に貼設するものとされているから、空気の巻込みやシワ
を発生せしめることなく内壁面１４に確実に施工せしめることが出来るのみならず、モ−
ルディング４ａに掛止段部８を介してパネル１を掛止保持せしめると共に、係止溝１０に
係止部１２を嵌合係止せしめつつ両面接着テ−プ１３でもって内壁面１４に接着せしめる
ものであるから、常に化粧シ−ト３の絵柄を立体的に装飾せしめつつ取付け施工を容易に
、しかも、確実に効率よく行なうことが出来るものである。
【００２３】
そして、化粧シ−ト付きパネル１の取付け施工が完了すると、必要に応じてモ−ルディ
ング４ａの電線挿通路１１に電線１５を挿通せしめ、コンセントやスイッチなどの配線器
具を取付けるとよい。
【００２４】
図５〜図７は他の実施例を示すモ−ルディング４ｂで、モ−ルディング本体５ｂ及び取
付け部材６ｂが広幅な長尺板状に形成されると共に、モ−ルディング本体５ｂの裏面両側
に両面接着テ−プ１６が取付けられ、かつ、モ−ルディング本体５ｂの表面に弯曲状の装
飾部７ｂが形成された点が上記実施例のモ−ルディング４ａと相違し、他の部分は同一で
あり、同一符号は同一部分を示す。
【００２５】
そして、上述のように構成されたモ−ルディング４ｂは、上記実施例と同様に、パネル
１の両側端部にパネル用掛止段部８を介してモ−ルディング本体５ｂを裏面と同一レベル
に掛止保持せしめると共に、係止溝１０に係止部１２を嵌合係止せしめて電線挿通路１１
を区画形成せしめつつ、順次取付け部材６ｂと共にモ−ルディング本体５ｂを両面接着テ
−プ１３・１６でもって内壁面１４に接着せしめ、パネル１を内壁面１４に取付ける（図
６及び図７参照）。このさい、上記実施例と同様に、化粧シ−ト３は空気の巻込みやシワ
を発生せしめることなく確実に、しかも、容易に効率よく施工せしめることが出来るもの
である。
【００２６】
図８〜図１０は上記実施例のモ−ルディング４ａ・４ｂに補助的に付設して使用するモ
−ルディング４ｃを示すもので、該モ−ルディング４ｃは上記モ−ルディング４ａ・４ｂ
のパネル用掛止段部８に掛止せしめるべく所要の幅と厚みを有する長尺板状のモ−ルディ
ング本体５ｃと、該モ−ルディング本体５ｃの長手方向に沿ってその表面に半球凸条に形
成された装飾部７ｃと、両側の裏面側に形成された両側一対の化粧シ−ト用掛止段部１８
と、モ−ルディング本体５ｃの裏面に取付けられた両面接着テ−プ１９とより構成されて
いる。
【００２７】
そして、上述の如く構成されたモ−ルディング４ｃは、モ−ルディング本体５ｃをモ−
ルディング４ａ・４ｂの掛止段部８に掛止保持せしめつつ両面接着テ−プ１９を介して内
壁面１４に接着せしめ、モ−ルディング４ａ・４ｂのモ−ルディング機能を有効に補助せ
しめるものである（図１０参照）。
【００２８】
なお、上記モ−ルディング４ａ・４ｂ・４ｃは化粧シ−ト付きパネル１のみならず、図
１１〜図１３に示すように、必要に応じて各々化粧シ−ト用掛止段部９・１８に公知の化
粧シ−ト１７を裏面と同一レベルに掛止保持せしめつつ、両面接着テ−プ１３・１６・１
９を介して内壁面１４に接着せしめて取付け、化粧シ−ト１７の絵柄を立体的に装飾せし
めることができ、また、必要に応じて部屋の回り縁、腰まわり、巾木、あるいはテ−ブル
の見切り材にも適用せしめることが出来るものである。
【００２９】
さらに、上記実施例において、モ−ルディング４ａ・４ｂのモ−ルディング本体５ａ・
５ｂ表面には凹条の装飾部７ａ・７ｂが、モ−ルディング４ｃのモ−ルディング本体５ｃ
表面には半球凸条の装飾部７ｃが各々形成されているが、かかる形状に限定されることな
く他の公知の形状に形成せしめてもよいものである。また、上記取付け部材６ａ・６ｂと
モ−ルディング本体５ａ・５ｃの裏面には両面接着テ−プ１３・１６・１９が取付けられ
ているが、これに限定されるものでなく、他の公知の接着部材を使用することが出来るも
のである。
【符号の説明】
【００３０】
１    パネル
２    パネル本体
３    化粧シ−ト
４ａ・４ｂ・４ｃ    モ−ルディング
５ａ・５ｂ・５ｃ    モ−ルディング本体
６ａ・６ｂ    取付け部材
８    パネル用掛止段部
９・１８    化粧シ−ト用掛止段部
１０    係止溝
１１    電線挿通路
１２    係止部
１３・１９    両面接着テ−プ
１４  内壁面
１７  化粧シ−ト
【手続補正２】
【補正対象書類名】実用新案登録請求の範囲
【補正対象項目名】全文
【補正方法】変更
【補正の内容】
【実用新案登録請求の範囲】
【請求項１】
所要の幅と厚みを備えた略方形板状パネル本体の表面に壁紙など壁装用の化粧シ−トが
貼設されてなることを特徴とする、化粧シ−ト付きパネル。
【請求項２】
請求項１記載の化粧シ−ト付きパネルを壁面に装飾状に取付けるモ−ルディングであっ
て、該モ−ルディングは所要の幅と厚みを備えた長尺板状のモ−ルディング本体と、該モ
ールディング本体を壁面に取付ける長尺板状の取付け部材とよりなり、上記モ−ルディン
グ本体の両側にはパネルを掛止保持せしめるべくその長手方向に沿って両側一対の掛止段
部が形成されると共に、同裏面側にはその長手方向に沿って所要幅の略あり溝状係止溝が
形成され、他方、取付け部材の表面側には上記係止溝に嵌合係止せしめるべくその長手方
向に沿って略ありほぞ状の係止部が形成されると共に、同裏面側には壁面に接着せしめる
べく接着部材が取付けられてなることを特徴とする、化粧シ−ト付きパネル用モ−ルディ
ング。 
【請求項３】
係止溝は嵌合係止せしめる係止部との間に電線挿通路を区画形成せしめるべく所要の深
さに形成されてなることを特徴とする、請求項２記載の化粧シ−ト付きパネル用モ−ルデ
ィング。
【請求項４】
請求項２または３記載の化粧シ−ト付きパネル用モ−ルディングに補助的に付設自在と
された化粧シ−ト付きパネル用モ−ルディングであって、該モ−ルディングは上記モ−ル
ディング本体のパネル用掛止段部に掛止状に付設せしめるべく所要の幅と厚みを備えた長
尺板状のモ−ルディング本体と、壁面に接着せしめるべく該モ−ルディング本体の裏面に
取付けられた接着部材とよりなることを特徴とする、化粧シ−ト付きパネル用モ−ルディ
ング。
【請求項５】
モ−ルディング本体両側には壁装用化粧シ−トを裏面と同一レベルに掛止保持せしめる
べく化粧シ−ト用掛上段部が各々形成されてなることを特徴とする、請求項２〜４のいづ
れか１項に記載の化粧シ−ト付きパネル用モ−ルディング。